(57)【要約】【課題】ゲーム機の周辺衛生環境を良好にすることができるイオン発生装置を提供する。【解決手段】マイナスイオンとプラスイオンを発生させて除菌・殺菌効果を得る運転を行うイオン発生装置であって、ゲーム機と装脱着可能な構成とする。すなわち、ゲーム機に装着されるときにゲーム機の冷却用空気流路の吸入口又は排出口に連結する通風路４と、通風路４内に設けられるマイナスイオンとプラスイオンを発生するイオン発生電極体５と、ゲーム機に装着されるときにゲーム機の係止爪（図示せず）と嵌合する凹部３と、を備えるイオン発生装置。【選択図】      図１
2004220937.tif 000002
【特許請求の範囲】
【請求項１】
マイナスイオンとプラスイオンを発生させて除菌・殺菌効果を得る運転を行うイオン発生装置であって、ゲーム機と装脱着可能又はゲーム機に内蔵されることを特徴とするイオン発生装置。
【請求項２】
マイナスイオンとプラスイオンを発生させて除菌・殺菌効果を得る運転モードとマイナスイオンを発生させてリラクゼーション効果を得る運転モードとを切り換える手段を有する請求項１に記載のイオン発生装置。
【請求項３】
前記ゲーム機が具備する冷却ファンの回転によって発生する空気流を用いてイオン発生装置外部にイオンを放出する請求項１又は請求項２に記載のイオン発生装置。
【請求項４】
前記ゲーム機の内部にイオンを放出する請求項３に記載のイオン発生装置。
【発明の詳細な説明】
【０００１】
【発明の属する技術分野】
本発明は、空気中にイオンを発生させるイオン発生装置に関するものである。
【０００２】
【従来の技術】
ゲーム機を使用してゲームを行う場合、ゲームに熱中して長時間ゲームを行うと長時間室内にこもることになる。このような環境下では、インフルエンザウイルス等に感染しやすい状態になる。また、ゲームのプレイヤー以外にゲームを観戦する者が多数ゲーム機周辺に集まる場合もあり、そのゲーム機周辺に集まっている者の中の一人がインフルエンザウイルスに感染していると他の者にも感染してしまうおそれがある。
【０００３】
一方、マイナスイオンとプラスイオンとを発生させてインフルエンザウイルス等の除菌・殺菌効果を得る運転を行うイオン発生装置がすでに発明されている（特許文献１参照）。そして、このようなイオン発生装置を内蔵した空気調節装置（例えば空気調和機、空気清浄機等）が本出願人によって市販されている。
【０００４】
【特許文献１】
特開２００２−７５５９０号公報（段落００３８−００４０、図１５）
【０００５】
【発明が解決しようとする課題】
【０００６】
上述したマイナスイオンとプラスイオンを発生させてインフルエンザウイルス等の除菌・殺菌効果を得る運転を行うイオン発生装置を内蔵した空気調節装置が設置されている部屋においてゲーム機が使用されるのであれば、空気調節装置に内蔵されているイオン発生装置がマイナスイオンとプラスイオンを発生させてインフルエンザウイルス等の除菌・殺菌効果を得る運転を行うことによって、ゲーム機の周辺衛生環境を良好にすることができる。しかしながら、ゲーム機が使用される部屋に、上述したマイナスイオンとプラスイオンを発生させてインフルエンザウイルス等の除菌・殺菌効果を得る運転を行うイオン発生装置を内蔵した空気調節装置が必ずしも設置されているとは限らなかった。
【０００７】
本発明は、上記の問題点に鑑み、ゲーム機の周辺衛生環境を良好にすることができるイオン発生装置を提供することを目的とする。
【０００８】
【課題を解決するための手段】
上記目的を達成するために、本発明に係るイオン発生装置においては、マイナスイオンとプラスイオンを発生させて除菌・殺菌効果を得る運転を行うイオン発生装置であって、ゲーム機と装脱着可能又はゲーム機に内蔵される構成とする。
【０００９】
このような構成にすることにより、イオン発生装置をゲーム機に装着又は内蔵することができ、その状態でイオン発生装置がマイナスイオンとプラスイオンを発生させて除菌・殺菌効果を得る運転を行うことで、ゲーム機の周辺衛生環境を良好にすることができる。
【００１０】
また、マイナスイオンとプラスイオンを発生させて除菌・殺菌効果を得る運転モードとマイナスイオンを発生させてリラクゼーション効果を得る運転モードとを切り換える手段を有してもよい。
【００１１】
このような構成にすることにより、マイナスイオンを発生させてリラクゼーション効果を得る運転モードに切り換えることでき、ゲームによって生じる過剰な興奮を静めることができる。
【００１２】
また、前記ゲーム機が具備する冷却ファンの回転によって発生する空気流を用いてイオン発生装置外部にイオンを放出するようにしてもよい。
【００１３】
これにより、イオン発生装置自体に送風用ファンを設けなくてよくなる。これにより、イオン発生装置の低コスト化・小型化・省電力化を図ることができる。
【００１４】
また、前記ゲーム機の内部にイオンを放出するようにしてもよい。
【００１５】
これにより、温度が高くて菌やウイルスが繁殖しやすいゲーム機内部の除菌・殺菌が可能となる。
【００１６】
なお、ここでいう除菌・殺菌とは、菌の死滅のみならずウイルス等の死滅も含まれる。
【００１７】
【発明の実施の形態】
以下に本発明の一実施形態について図面を参照して説明する。本発明に係るイオン発生装置として、ここではゲーム機に装脱着可能なイオン発生装置を例に挙げて説明を行う。ゲーム機に装脱着可能なイオン発生装置の概略外観図を図１に示す。
【００１８】
イオン発生装置１は、上面２に二つの凹部３を有する。また、イオン発生装置は、上面２の対向面である下面にも同様に二つの凹部（図示せず）を有する。この四つの凹部とゲーム機の係止爪が嵌合することで、イオン発生装置１がゲーム機に装着されることになる。
【００１９】
イオン発生装置１は貫通孔である通風路４を有し、その通風路４内にイオン発生電極体５が設けられる。また、イオン発生装置１の内部に回路基板６が設けられる。回路基板６には電源回路等が実装されており、回路基板６上に実装されている回路はイオン発生電極体５と電気的に接続されている。さらに、イオン発生装置１はＵＳＢ（Ｕｎｉｖｅｒｓａｌ  Ｓｅｒｉａｌ  Ｂｕｓ）コネクタ（図示せず）も有しており、そのＵＳＢコネクタの端子は回路基板６上に実装されている回路に電気的に接続されている。なお、詳細は後述するがイオン発生装置１はゲーム機が具備する冷却ファンの回転によって生じる空気流を用いてイオン発生装置の外にイオンを放出するので、イオン発生装置１自体は送風用ファン及び該送風用ファンを駆動するモータを具備していない。これにより、イオン発生装置１の低コスト化、小型化、省電力化を図ることができる。
【００２０】
次に、ゲーム機と該ゲーム機から脱着されている状態の本発明に係るイオン発生装置との概略外観図を図２に示す。なお、図２において、図１と同一の部分には同一の符号を付し詳細な説明を省略する。ゲーム機１０は、筐体外側に六つの係止爪１１を有し、筐体内に冷却ファン３を有している。また、ゲーム機１０は、冷却ファン３の回転によって生じる空気流の吸入口（図示せず）及び吹出口１２を有している。さらに、ゲーム機１０は、ＵＳＢコネクタ（図示せず）と、画像表示装置を着脱自在に接続するためのコネクタ（図示せず）と、コントローラを着脱自在に接続するためのコネクタ（図示せず）と、ゲームプログラムが格納されている記憶媒体を駆動するドライバ（図示せず）と、を有している。
【００２１】
また、イオン発生装置１の上面に設けられる凹部と嵌合するゲーム機１０の係止爪１１を図３（ａ）の断面図に示すような上下方向に回動可能な構造し、イオン発生装置１の下面に設けられる凹部と嵌合するゲーム機１０の係止爪１１を、図３（ｂ）の断面図に示すような上下方向に回動可能な構造にするとよい。このような構造にすることにより、イオン発生装置１を脱着しているときは係止爪１１を収納することができる。ユーザーは、イオン発生装置１脱着時に係止爪１１を収納することで、係止爪１１に引っ掛かって負傷することを未然に防ぐことができる。
【００２２】
次に、ゲーム機と該ゲーム機に装着されている状態の本発明に係るイオン発生装置との概略外観図を図４に示す。なお、図４において、図２と同一の部分には同一の符号を付し詳細な説明を省略する。ゲーム機の係止爪とイオン発生装置の凹部とが嵌合してイオン発生装置１がゲーム機１０に装着されるときに、イオン発生装置１が具備する通風路とゲーム機１０が具備する吹出口１２とが連結するように、ゲーム機１０の係止爪及び吹出口並びにイオン発生装置１の凹部及び通風路の位置決めがなされている。また、イオン発生装置１のＵＳＢコネクタとゲーム機１０のＵＳＢコネクタとはＵＳＢケーブル（図示せず）によって電気的に接続されており、イオン発生装置１はＵＳＢケーブルを介してゲーム機１０から供給される電力を用いてイオンを発生させる。
【００２３】
これにより、イオン発生装置１自体にファンがなくてもゲーム機の吹出口から排出される空気を用いて発生したイオンを室内に放出することができる。これにより、イオン発生装置１がプラスイオンとマイナスイオンを発生させると、ゲームが使用されている部屋の除菌・殺菌が行われる。したがって、ゲーム機の周辺衛生環境を良好にすることができる。
【００２４】
なお、ゲーム機を使用している者の近傍の除菌・殺菌をより効果的に行うためにゲーム機の前面からプラスイオンとマイナスイオンが放出されることが望ましい。したがって、ゲーム機の吹出口がゲーム機の前面に設けられていない場合、ゲーム機の前面からプラスイオンとマイナスイオンが放出されるようにイオン発生器の通風路を曲折させるとよい。
【００２５】
また、ゲーム機１０が具備する係止爪とイオン発生装置が具備する凹部とが嵌合して、イオン発生装置１がゲーム機１０に装着されるときに、イオン発生装置１が具備する通風路とゲーム機１０が具備する吸入口とが連結するように、ゲーム機１０の係止爪及び吸入口並びにイオン発生装置１の凹部及び通風路の位置決めがなされてもよい。この位置決めの場合、イオン発生装置１が発生させるイオンがゲーム機の吸入口を介してゲーム機内部に流入してくる。これにより、イオン発生装置１がプラスイオンとマイナスイオンを発生させると、ゲーム機内部の除菌・殺菌が行われる。したがって、ゲーム機１０の排出口から排出される空気流によってゲーム機の周辺衛生環境が悪化することはなく、ゲーム機の周辺衛生環境を良好にすることができる。
【００２６】
次に、イオン発生装置１の概略回路構成を図５に示す。ＵＳＢコネクタ２０の電源端子が電源回路２１の入力側に接続される。また、ＵＳＢコネクタ２０のデータ端子がＵＳＢドライバレシーバ２４に接続される。電源回路２１は、昇圧回路２２、ＵＳＢドライバレシーバ２４、マイクロコンピュータ２５の各々に電力を供給する。昇圧回路２２は、マイクロコンピュータ２５の命令に従って電源回路２１の出力電圧を昇圧してプラズマクラスターイオン回路（以下、ＰＣＩ回路という）２３に供給する。ＵＳＢドライバレシーバ２４は、ＵＳＢコネクタ２０のデータ端子に到達するデータを入力してマイクロコンピュータ２５に出力する。また、ＵＳＢドライバレシーバ２４は、マイクロコンピュータ２５から出力されるデータを入力してＵＳＢコネクタ２０のデータ端子に出力する。
【００２７】
昇圧回路２２の出力側は、抵抗Ｒ１の一端、リレーコイル３２の一端に接続される。抵抗Ｒ１の他端はトランス２８の一次側巻線の一端及びコンデンサＣ１の一端に接続される。トランス２８の一次側巻線の他端はＭＯＳＦＥＴ３１のドレインに接続される。ＭＯＳＦＥＴ３１のソース及びコンデンサＣ１の他端は接地される。また、ＭＯＳＦＥＴ３１のゲートとリレーコイル３２の他端がマイクロコンピュータ２５に接続される。
【００２８】
トランス２８の二次側巻線の一端に第１のイオン発生電極２９が接続され、トランス２８の二次側巻線の他端に第２のイオン発生電極３０が接続される。そして、トランス２８の二次側巻線の他端と第２のイオン発生電極３０との接続ノードにダイオードＤ１のアノードが接続され、ダイオードＤ１のカソードがリレースイッチ３３を介して接地される。また、キースイッチ２６がマイクロコンピュータ２５に接続される。
【００２９】
マイクロコンピュータ２５がＭＯＳＦＥＴ３１を決められたタイミングに従ってＯＮすることによってトランス２８の一次側をスイッチングし、トランス２８の二次側に接続された第１のイオン発生電極（誘電電極）２９と第２のイオン発生電極（放電電極）３０との間に高圧の印加電圧を発生させる。これにより、プラスイオンとマイナスイオン、又はマイナスイオンのみ（微量のプラスイオンが発生する場合も含む）が発生する。
【００３０】
キースイッチ２６はイオン発生装置の筐体外部に設けられ、ユーザーによって操作される。
【００３１】
キースイッチ２６によって除菌・殺菌運転モードが選択されると、マイクロコンピュータ２５は、リレーコイル３２とリレースイッチ３３からなるリレーをオフにする。これにより、第１のイオン発生電極２９と第２のイオン発生電極３０との間に略同等量のプラスイオンとマイナスイオンとが発生する。プラスイオンとしてのＨ＋（Ｈ２Ｏ）ｎ（ｎは任意の自然数）と、マイナスイオンとしてのＯ２−（Ｈ２Ｏ）ｍ（ｍは任意の自然数）とが発生し、これらが化学反応して活性種である過酸化水素（Ｈ２Ｏ２）及び／又は水酸基ラジカル・ＯＨを生成し、空気中の浮遊細菌や浮遊ウイルスを除去する。
【００３２】
キースイッチ２６によってリラクゼーション運転モードが選択されると、マイクロコンピュータ２５は、リレーコイル３２とリレースイッチ３３からなるリレーをオンにする。これにより、第１のイオン発生電極２９と第２のイオン発生電極３０との間にマイナスイオンが発生する。
【００３３】
また、マイクロコンピュータ２５によって制御され運転モードを表示する表示部（例えば、ＬＥＤやＬＣＤ等）をイオン発生装置の筐体外部に設けてもよい。このような表示部を設けることで、ユーザーが運転モードを容易に認識することが可能になる。また、キースイッチ２６の操作によって運転モードを切り替えるのではなく、ゲーム機からＵＳＢコネクタのデータ端子に送られるデータを用いて運転モードを切り替えるようにしてもよい。
【００３４】
なお、本実施形態では、ゲーム機に装脱着可能なイオン発生装置を例に挙げて説明を行ったが、本発明に係るイオン発生装置はゲーム機に内蔵される構成であっても構わない。この場合、イオン発生装置が具備するイオン発生電極体を冷却ファンの回転によって生じる空気流の吸入口近傍に設けると、イオン発生装置が発生させるイオンがゲーム機内部に流入する。これにより、イオン発生装置がプラスイオンとマイナスイオンを発生させると、ゲーム機内部の除菌・殺菌が行われる。したがって、ゲーム機の排出口から排出される空気流によってゲーム機の周辺衛生環境が悪化することはなく、ゲーム機の周辺衛生環境を良好にすることができる。一方、イオン発生装置が具備するイオン発生電極体を冷却ファンの回転によって生じる空気流の吹出口近傍に設けると、イオン発生装置が発生させるイオンが室内に放出される。これにより、イオン発生装置がプラスイオンとマイナスイオンを発生させると、ゲーム機の排出口から排出される空気流によってゲーム機の周辺衛生環境を良好にすることができる。
【００３５】
また、本実施形態ではゲーム機としてゲーム専用機器を例に挙げて説明したが、ゲーム専用機器のみならず、ゲーム機能を搭載している他の電気機器例えばゲームプログラムのソフトウェアを記憶装置に格納しているパーソナルコンピュータもゲーム機に含まれる。
【００３６】
また、本実施形態では、イオン発生装置はＵＳＢケーブルを介してゲーム機から供給される電力を電力源としていたが、イオン発生装置にＡＣプラグを設けて商用交流電源から供給される電力を電力源とする構成にしても構わない。
【００３７】
【発明の効果】
本発明によると、ゲーム機の周辺衛生環境を良好にすることができるイオン発生装置を実現することができる。
【図面の簡単な説明】
【図１】本発明に係るイオン発生装置の概略外観図である。
【図２】ゲーム機と該ゲーム機から脱着された状態の図１のイオン発生装置との概略外観図である。
【図３】ゲーム機の係止爪の構造を示す断面図である。
【図４】ゲーム機と該ゲーム機に装着された状態の図１のイオン発生装置との概略外観図である。
【図５】図１のイオン発生装置の回路構成を示す図である。
【符号の説明】
１  イオン発生装置
３  凹部
４  通風路
５  イオン発生電極体
６  回路基板
１０  ゲーム機
１１  係止爪
１２  吹出口
１３  冷却用ファン
【図１】
2004220937.tif 000003
【図２】
2004220937.tif 000004
【図３】
2004220937.tif 000005
【図４】
2004220937.tif 000006
【図５】
2004220937.tif 000007